(57)【特許請求の範囲】
【請求項１】
多心光ファイバ心線を接続する多心コネクタと、多心光ファイバ心線から少心光ファイバ心線に心線を分割する心線分割部と、少心光ファイバ心線を接続する少心コネクタとを含む光ファイバ心線の余長を収納する余長収納ケースであって、
下側トレーと、その上に積層された上側トレーとを備え、
上側トレーには、多心コネクタを保持するコネクタ保持部と、多心コネクタの少なくとも心線分割部側の多心光ファイバ心線の余長を収納する余長収納部とが設けられ、
下側トレーには、少心コネクタを保持するコネクタ保持部と、少心コネクタの少なくとも心線分割部側の少心光ファイバ心線の余長を収納する余長収納部とが設けられ、
下側トレーはそのコーナー部を上下方向に貫通する支柱を回転中心として回転可能になっており、
上側トレーは前記支柱またはその付近を回転中心として下側トレーに対して回転可能になっており、
上側トレーの回転中心部付近の、外周壁の一部には多心光ファイバ心線の導入部が、底板には下側トレーに通じる光ファイバ心線挿通用の開口部が形成されている、
ことを特徴とする複数のコネクタ接続部を含む光ファイバ心線の余長収納ケース。
【請求項２】
上側トレーが２層になっており、その各々が下側トレーに対して回転可能になっていることを特徴とする請求項１記載の長収納ケース。
【発明の詳細な説明】
【０００１】
【発明の属する技術分野】
本発明は、多心光ファイバ心線のコネクタ接続部と、多心光ファイバ心線から分割された少心光ファイバ心線のコネクタ接続部とを含む光ファイバ心線の余長収納ケースに関するものである。
【０００２】
【従来の技術】
例えば光ケーブルから引き出された４心光ファイバ心線（テープ状）を、４本の単心光ファイバ心線に分割して配線を行う箇所では、４心光ファイバ心線側で一括して心線の切替接続が必要になる場合と、単心光ファイバ心線側で個々に心線の切替接続が必要になる場合とがある。このような要求に対処するためには、４心光ファイバ心線を単心光ファイバ心線に分割する心線分割部の前後に、４心光ファイバ心線を接続する１組の４心コネクタと、単心光ファイバ心線を接続する４組の単心コネクタとを設ける必要がある。
【０００３】
このような多心光ファイバ心線のコネクタ接続部と少心光ファイバ心線のコネクタ接続部とを含む光ファイバ心線の余長を、余長収納ケースに収納する場合には従来、重箱のように２段に重ねたトレーが用いられていた。すなわち従来の余長収納ケースは、上段のトレーに多心コネクタとその付近の多心光ファイバ心線の余長を収納し、多心光ファイバ心線を上段のトレーから下段のトレーに引き渡して、下段のトレーに心線分割部と少心コネクタとその付近の少心光ファイバ心線の余長を収納する構造となっている。
このようにすると、多心光ファイバ心線と少心光ファイバ心線の錯綜が避けられ、多心光ファイバ心線の切替接続は上段のトレーで、少心光ファイバ心線の切替接続は下段のトレーで行えるので、切替接続作業がやりやすいという利点がある。
【０００４】
【発明が解決しようとする課題】
しかし実際の装置ではこのような２段重ねのトレーが多段に積層されるため、切替接続を行う場合には、該当するトレーを引き出して作業を行うことになる。その際、従来のものは２段重ねのトレーを机の引出のようにスライドさせて引き出す構造になっているため、光ファイバ心線のトレー導入部付近が引っ張られて引きつれを起こしやすい。また下段のトレーで作業を行うときは上段のトレーを持ち上げる必要があるため、その際にも、上段のトレーから下段のトレーに渡る多心光ファイバ心線が引きつれを起こしやすい。光ファイバ心線の引きつれは損失増加や断線の原因となるので、極力なくす必要がある。
【０００５】
本発明の目的は、以上のような問題点に鑑み、切替接続などを行うときに光ファイバ心線の引きつれが起こりにくい余長収納ケースを提供することにある。
【０００６】
【課題を解決するための手段】
この目的を達成するため本発明は、多心光ファイバ心線を接続する多心コネクタと、多心光ファイバ心線から少心光ファイバ心線に心線を分割する心線分割部と、少心光ファイバ心線を接続する少心コネクタとを含む光ファイバ心線の余長を収納する余長収納ケースを、次のような構成としたものである。すなわち、
下側トレーと、その上に積層された上側トレーとを備え、
上側トレーには、多心コネクタを保持するコネクタ保持部と、多心コネクタの少なくとも心線分割部側の多心光ファイバ心線の余長を収納する余長収納部とが設けられ、
下側トレーには、少心コネクタを保持するコネクタ保持部と、少心コネクタの少なくとも心線分割部側の少心光ファイバ心線の余長を収納する余長収納部とが設けられ、
下側トレーはそのコーナー部を上下方向に貫通する支柱を回転中心として回転可能になっており、
上側トレーは前記支柱またはその付近を回転中心として下側トレーに対して回転可能になっており、
上側トレーの回転中心部付近の、外周壁の一部には多心光ファイバ心線の導入部が、底板には下側トレーに通じる光ファイバ心線挿通用の開口部が形成されている、
ことを特徴とするものである。
【０００７】
【発明の実施の形態】
以下、本発明の実施形態を図面を参照して詳細に説明する。
〔実施形態１〕
図１〜図５は本発明の一実施形態を示す。図１は本発明の余長収納ケース１１を筐体１３に多段に収納した状態を示す正面図であり、図２は筐体１３を取り除いた状態の斜視図であり、図３（Ａ）（Ｂ）は本発明の余長収納ケース１１を下側トレー１５と上側トレー１７に分解した状態で示す平面図である。また図において、１９は光ケーブル、２１は多心（この例では４心）光ファイバ心線、２３は多心コネクタ、２５は心線分割部、２７は単心光ファイバ心線、２９は単心コネクタである。
【０００８】
この余長収納ケース１１は、下側トレー１５と、その上に積層された上側トレー１７とで構成される。トレー１５、１７はプラスチックの成形体である。
上側トレー１７は、図３（Ａ）に示すように、底板３１、外周壁３３、内周壁３５、心線飛び出し防止片３７などで構成されている。外周壁３３の一部には切欠き部があり、その部分が多心光ファイバ心線２１の導入部３９となっている。外周壁３３と内周壁３５の間が多心光ファイバ心線２１の余長収納部４１となっている。外周壁３３の長辺部の内側には多心コネクタ２３を保持するコネクタ保持部４３が設けられている。また底板３１には下側トレー３１に通じる開口部４５が形成されている。多心光ファイバ心線２１はこの開口部４５を通して下側トレー１５に引き渡されるようになっている。
【０００９】
下側トレー１５は、図３（Ｂ）に示すように、底板４７、外周壁４９、内周壁５１、心線飛び出し防止片５３などで構成されている。外周壁４９と内周壁５１の間が多心光ファイバ心線２１および単心光ファイバ心線２７の余長収納部５５となっている。外周壁４９の長辺部の内側には心線分割部２５を保持する保持枠５７が設けられている。また外周壁４９の一方の短辺部にはコネクタ保持部５９が設けられ、単心コネクタ２９はこのコネクタ保持部５９によって保持されている。
【００１０】
この実施形態における下側トレー１５は、単心コネクタ２９の内側（つまり心線分割部２５側）の少心光ファイバ心線２７の余長を収納するものである。単心コネクタ２９の外側の単心光ファイバ心線２７はその先の装置へつながるものである。
また下側トレー１５には、コネクタ保持部５９と反対側のコーナー部に、円筒の周壁の一部が切り欠かれた形の第一嵌合部６１が上下方向に形成されている。この第一嵌合部６１を図２のように丸棒状の支柱６３に嵌合させると、下側トレー１５は支柱６３を回転中心として回転可能となる。
【００１１】
また上側トレー１７には、下側トレー１５の第一嵌合部６１と同じ位置に、円筒の一部が切り欠かれた形の第二嵌合部６５が上下方向に形成されている。この第二嵌合部６５は、第一嵌合部６１の上部に外側から嵌合する大きさに形成されている。なお下側トレー１５の第一嵌合部６１はその上部が上側トレー１７の厚さ分だけ突出するように形成されている。第二嵌合部６５を第一嵌合部６１の外側に嵌合させると、上側トレー１７は第一嵌合部６１を回転中心として（したがって支柱６３を回転中心として）下側トレー１５に対して回転可能となる。
上側トレー１７の心線導入部３９および開口部４５は、第二嵌合部６５の付近に形成されている。
【００１２】
下側トレー１５と上側トレー１７は、第一嵌合部６１に第二嵌合部６５を嵌合させるようにして積層され、１組の余長収納ケース１１が構成される。この余長収納ケース１１は、図２に示すように第一嵌合部６１を支柱６３に嵌合させるようにして、多段に積層される。支柱６３は図１に示すように筐体１３に垂直に固定されている。筐体１３の奥壁６７には、余長収納ケース１１を１組ずつ支持する支持板６９が突設されている。余長収納ケース１１は支持板６９と支持板６９の間に差し込むようにして筐体１３内に多段に収納されている。
【００１３】
余長収納ケース１１が筐体１３に多段に収納されている状態で、いずれかの余長収納ケース１１の単心光ファイバ心線２７を切替接続する必要が生じた場合には、図４に示すように、当該余長収納ケース１１のみを支柱１９を中心として回転させ、単心コネクタ２９を筐体１３の手前側に出して切替接続を行う。このとき、余長収納ケース１１の回転によって余長収納ケース１１内の光ファイバ心線が移動することはない。また多心光ファイバ心線２１の導入部３９は支柱１９（回転中心）の近くにあるため、余長収納ケース１１が回転する際に導入部３９付近の多心光ファイバ心線２１が移動する量もわずかである。したがって光ファイバ心線が引きつれを起こすおそれは殆どない。
【００１４】
また余長収納ケース１１が筐体１３に多段に収納されている状態で、いずれかの余長収納ケース１１の多心光ファイバ心線２１を切替接続する必要が生じた場合には、図５に示すように、当該余長収納ケース１１の上側トレー１７のみを支柱１９を中心として回転させ、筐体の手前側に引き出して、切替接続を行う。このとき、開口部４５は支柱１９（回転中心）の近くにあるため、開口部４５を通る多心光ファイバ心線２１が上側トレー１７の回転によって移動する量はわずかである。したがってこの場合も光ファイバ心線が引きつれを起こすおそれは殆どない。
【００１５】
〔実施形態２〕
図６は本発明の他の実施形態を示す。この余長収納ケース１１は、下側トレー１５の上に、２つの上側トレー１７Ａ、１７Ｂが積層されているものである。下側トレー１５の構造、上側トレー１７Ａ、１７Ｂの構造は実施形態１のものと実質的に同じである。
【００１６】
この余長収納ケース１１は、例えば２本の４心光ファイバ心線２１を２心ずつに分割して４本の２心光ファイバ心線７１を引き出す場合に用いられるものである。すなわちこの余長収納ケース１１は、上側トレー１７Ａ、１７Ｂにそれぞれ４心光ファイバ心線２１の余長と４心コネクタ２３を収納し、４心光ファイバ心線２１を上側トレー１７Ａ、１７Ｂの底板３１の開口部４５を通して下側トレー１５に引き渡し、下側トレー１５に、４心から２心への心線分割部と、２心光ファイバ心線７１の余長と、２心コネクタとを収納したものである。
それ以外の構成は実施形態１と同様であり、また使用方法も実施形態１と同様であるので、説明を省略する。
【００１７】
〔実施形態３〕
図７は本発明のさらに他の実施形態を示す。この余長収納ケース１１は、上側トレー１７を支柱６３を中心として回転させるのではなく、下側トレー１５の第一嵌合部６１の近くに軸ピン７３を上下方向に突設し、この軸ピン７３に上側トレー１７の第二嵌合部７５を嵌合させて、上側トレー１７を軸ピン７３を中心として回転させるようにしたものである。このような構造でも実施形態１と同等の効果を得ることができる。
【００１８】
〔その他の実施形態〕
実施形態１では、単心コネクタ２９の保持部５９を下側トレー１５の外周壁４９の短辺部に設ける場合を説明したが、単心コネクタ２９の保持部は、上側トレーと同様に外周壁４９の内側に設けることもできる。
【００１９】
【発明の効果】
以上説明したように本発明によれば、下側トレーおよび上側トレーをそのコーナー部付近を回転中心として回転させることで引き出せるようにしたので、切替接続などの際に下側トレーおよび上側トレーを引き出しても光ファイバ心線の引きつれが起こりにくい。このため光ファイバ心線の損失増加や断線などが発生するおそれが少なく、信頼性が向上する。
【図面の簡単な説明】
【図１】本発明の第１の実施形態の余長収納ケースを多段に積層して筐体に収納した状態を示す正面図。
【図２】本発明の第１の実施形態の余長収納ケースを多段に積層した状態を示す斜視図。
【図３】本発明の第１の実施形態の余長収納ケースの、（Ａ）は上側トレーを、（Ｂ）は下側トレーを示す平面図。
【図４】本発明の第１の実施形態の余長収納ケースを引き出した状態を示す平面図。
【図５】本発明の第１の実施形態の余長収納ケースの上側トレーを引き出した状態を示す平面図。
【図６】本発明の第２の実施形態の余長収納ケースを示す斜視図。
【図７】本発明の第３の実施形態の余長収納ケースの概略構成を示す平面図。
【符号の説明】
１１：余長収納ケース
１３：筐体
１５：下側トレー
１７：上側トレー
２１：多心光ファイバ心線
２３：多心コネクタ
２５：心線分割部
２７：単心光ファイバ心線
２９：単心コネクタ
４１：余長収納部
４３：コネクタ保持部
４５：開口部
５５：余長収納部
５７：心線分割部の保持枠
５９：コネクタ保持部
６１：第一嵌合部
６３：支柱
６５：第二嵌合部
【図１】
0003540104.tif 000002
【図２】
0003540104.tif 000003
【図３】
0003540104.tif 000004
【図４】
0003540104.tif 000005
【図５】
0003540104.tif 000006
【図６】
0003540104.tif 000007
【図７】
0003540104.tif 000008